(57)【要約】      （修正有）【課題】日常の医療現場で、単純Ｘ線写真を立体画像として読み取れるように、撮影法と読影法を工夫した。【解決手段】右目用と左目用の２枚の単純Ｘ線写真が撮影される。ただし、これらの画像情報はコンピュータ端末上で扱うデジタル画像情報である。そして、この２枚の画像を、ひとつ、または２つのディスプレイ上に立体画像として表示させる。見る側は、正面に立ち、胸部や骨などのＸ線写真や血管撮影写真を立体的に読影する。【選択図】図１
2005224575.tif 000002
【特許請求の範囲】
【請求項１】
通常のＸ線撮影の際に、右目用と左目用の２枚の単純Ｘ線写真を撮影する。ただし、これらの画像情報はコンピュータ端末上で扱うデジタル画像情報である。この２枚のデジタル画像情報を１枚、または２枚のディスプレイ上に描出して、立体的に表示する。以上により、単純Ｘ線写真を立体的に表示して臨床画像診断を行う、撮影と読影を含んだシステム。
【発明の詳細な説明】
【発明の詳細な説明】
【発明に属する技術分野】
【０００１】  Ｘ線撮影装置とデジタル画像情報とコンピュータに接続された立体画像表示装置を組み合わせて画像診断を行うものである。
【背景技術】
【０００２】  日常の医療現場で、最も一般的に使用されているＸ線撮影は、単純Ｘ線写真といわれ、通常のフィルム上に撮影されている。そして、例えば胸部や骨などのＸ線写真、血管撮影写真、消化管の透視写真などとして、広く利用されている。この撮影法は、ＣＴスキャンなどの高度の診断機械が普及した現在も、最も簡単な方法であるがために重要性は少しも衰えていない。また、その撮影時間の短さから集団検診に広く利用されている。【０００３】  しかし、この単純Ｘ線写真は２次元的な情報のみを読み取るシステムであり、例えば、前後方向を撮影した場合、前後方向の画像情報は１枚の写真上で重なり、３次元画像情報としては活用されていない。実際の人体は３次元構造であるために、検者はその解剖知識を応用しながら、この前後方向の重なった２次元画像情報を３次元的に検者の頭の中で組み立てなおして理解していた。【０００４】  また、現在、胸部Ｘ線撮影では３次元情報を得るために、前後方向と左右方向の２枚の写真を撮影することも多いが、この場合でも検者の頭の中での立体構造への再構成は必須である。【０００５】  臨床経験と知識が欠落する場合には、頭の中での３次元構造への変換の未熟さから臨牀水準の低下が生じている。
【発明が解決する課題】
【０００６】  被験者のＸ線撮影された部位の立体解剖構造の読影を容易にするだけでなく、その精度を上げることを目的として、普通の単純Ｘ線写真が立体画像として読み取れるように、撮影法と読影法を工夫した。
【０００７】  従来の単純Ｘ線写真（アナログＸ線撮影画像）は、２次元的な情報のみを読み取るシステムであり、例えば、前後方向を撮影した場合、前後方向の画像情報は１枚の写真上で重なり、３次元画像情報とはならない。実際の人体は３次元構造であり、検者は頭の中で前後方向の重なった２次元画像情報から、立体的な解剖知識を応用して２次元画像情報を３次元的に組み立てなおして理解していた。
【０００８】  画像の読影に際して、頭の中で画像情報を３次元的に組み立てなおすには、多くの臨床経験と知識が必要とされるが、臨床経験と知識が乏しい医師の場合には読影が難しく診断能力の低下が生じていた。
【課題を解決するための手段】
【０００９】  実際の人体は３次元構造である。各単純Ｘ線写真は、各々右目用と左目用の２枚が撮影される。そして、この２枚の画像を、ひとつ、または２つのディスプレイ上に立体画像として表示する。検者は、正面に立ち、胸部や骨などのＸ線写真や血管撮影写真（ＤＳＡ＝ｄｉｇｉｔａｌ  ｓｕｂｔｒａｃｔｉｏｎ  ａｎｇｉｏｇｒａｐｈｙを含む）を立体的に読影する。
【発明実施の形態】
【００１０】  本発明を実現するため、出願人が工夫して病院で実際に稼動している構成を詳しく説明する。
【００１１】  各単純Ｘ線写真は右目用と左目用の２枚のＸ線写真が１セットとして撮影される。この撮影の仕方は、２個のＸ線を出す装置と２個のＸ線を受ける装置で構成されることが望ましい。
【００１２】  これらの画像情報はコンピュータ端末上で扱うことが可能なデジタル画像情報である。この画像は、以下に述べるＤＩＣＯＭフォーマットが望ましい。（ＤＩＣＯＭ規格を説明する。これは、世界的な医療画像デジタル情報統一規格であり世界中でその画像情報が通用する。その規格は、デジタル画像情報の前に撮影日時、患者ＩＤ、氏名、撮像条件、表示条件等のヘッダーと呼ばれるテキスト情報が付帯する。画像は２５６×２５６とか５１２×５１２ピクセルなどで構成され、一つ一つのピクセルが画像の濃度として１０ビット程度の深さを持ち、１０２４階調程度で表示される。圧縮がないピクセルごとに独立した全くの生情報である。）
【００１３】  この２枚の画像を、ディスプレイ上に立体画像として表示する。画像のディスプレイの仕方であるが、これには数種類方法があり、いずれの方法も可である。一番簡単なのは、１つののぞき穴がついたディスプレイを２枚利用する方法で、右目用のＸ線写真は右目用のディスプレイに描出され、右目用の穴から右目でのぞく。左目は同様に全て左目用で行う。また、１枚のディスプレイに左目画像と右目画像を交互に描出し、各々シャッターのついた眼鏡をかけて、右目は右目用のＸ線写真だけ、左目は左目用のＸ線写真だけを見る方法である。さらに進んだ方法として、プリズムなどを用いた液晶画面を利用し、１枚のディスプレイ上に２枚のＸ線写真を同時に描出しながら、右目は右目用のＸ線写真だけ、左目は左目用のＸ線写真だけを見る方法がある。
【００１４】  検者は、正面に立ち、胸部や骨などのＸ線写真、ＤＳＡなどの血管撮影写真、消化管透視写真、脊髄撮影などを立体的に読影する。ＤＩＣＯＭフォーマット画像の場合は、検者は、画像の表示法（ｗｉｎｄｏｗ  ｌｅｖｅｌ、ｗｉｎｄｏｗ  ｗｉｄｔｈと言っている）の自由な変更が可能で、例えば１枚の胸の写真から肺野や、骨、血管などの情報を選択して読影することが可能である。
【００１５】  熟練した検者にとっては臨牀情報が倍増し、熟練度の低い検者にとっては２次元写真から立体画像への変換が容易となるため、画期的な方法と思われる。そして、既に書いたが、１枚の写真から肺野や、骨、血管などの情報を自由に選択することが可能である。
【００１６】  コスト的にも、わずか２枚の単純写真を撮影するということだけである。最も広く利用される集団検診で撮影される写真においても、情報量が多いだけでなく、その情報がわかりやすいために、診断能力が画然と高くなって、臨牀レベルの向上に多大な貢献がなされると思われる。
【発明の効果】
【００１７】  情報量が増大するだけでなく、読影に必要な習熟度が軽減されるために、一般的な医療レベルの飛躍的な向上がもたらされる。
【００１８】  熟練した検者にとっては臨牀情報が倍増することとなり、臨牀の質の向上がもたらされる。また、熟練度の低い検者にとっては２次元写真から立体画像を頭の中で変換することが容易となるため、高いレベルの臨牀診断能力が多くの医師に普及する。
【００１９】  また、例えば胸部Ｘ線写真の場合、１枚の写真から肺野や、骨、血管などの情報を自由に選択することが可能で、読影能力が向上し、一般医療レベルの向上がもたらされる。
【００２０】  コスト的にも、わずか２枚の単純写真を撮影するということだけである。最も広く利用される集団検診で撮影される写真においてでさえ、わかりやすい情報が多くなり、診断能力が画然と高くなって、臨牀レベルの向上に多大な貢献がなされると思われる。
【図面の簡単な説明】
【図１】  画像撮影装置で撮影された２枚で１セットの単純Ｘ線写真を立体表示装置の前で読影。
【図１】
2005224575.tif 000003